(57)【要約】【課題】従来の幌骨よりも強度があり、見栄えのよい育児器具用幌骨およびそれを備えた幌を提供すること。【解決手段】育児器具に装着して用いられる育児器具用幌骨（１０）である。一端（１２ａ，１３ａ）と他端（１２ｂ，１３ｂ）とを有する第一帯状部材（１２，１３）と、第一帯状部材の他端に近接する一端（１４ａ，１５ａ）と第一帯状部材と離れる他端（１４ｂ，１５ｂ）とを有する第二帯状部材（１４，１５）と、第一帯状部材の他端と前記第二帯状部材の一端とを連結する連結具（２０ａ，２０ｂ）とを備える。【選択図】図２
2015205665.tif 000002
【特許請求の範囲】
【請求項１】
育児器具に装着して用いられる育児器具用幌骨であって、
一端と他端とを有する第一帯状部材と、
前記第一帯状部材の他端に近接する一端と前記第一帯状部材と離れる他端とを有する第二帯状部材と、
前記第一帯状部材の他端と前記第二帯状部材の一端とを連結する連結具とを備える、育児器具用幌骨。
【請求項２】
前記第一帯状部材と前記第二帯状部材は、それぞれ直線状に延びる部材であって、
前記連結具は、前記第一帯状部材と前記第二帯状部材とを屈曲した角度関係で連結する、請求項１に記載の育児器具用幌骨。
【請求項３】
前記第一帯状部材は、幌の側部において上下方向に延在して延び、
前記第二帯状部材は、前記幌の側部から幅方向中央部に向かって延びる、請求項１または２に記載の育児器具用幌骨。
【請求項４】
前記第一帯状部材は、前記側部において上下方向に延在して延び、
前記第二帯状部材は、前記第一帯状部材の前記連結具から前記幌の前方方向に向かって延びる、請求項１〜３のいずれかに記載の育児器具用幌骨。
【請求項５】
前記第一帯状部材は、左側部に位置する左側第一帯状部材と右側部に位置する右側第一帯状部材を含み、
前記第二帯状部材は、前記連結具から幅方向中央部に向かって斜め上方に延びる左側部に位置する左側第二帯状部材と右側部に位置する右側第二帯状部材を含み、
第三帯状部材は、前記幌骨の幅方向中央部に位置し、前記連結具を介して前記左側第二帯状部材と前記右側第二帯状部材とを接続する、請求項１〜４のいずれかに記載の育児器具用幌骨。
【請求項６】
前記帯状部材は、厚みが小さい扁平な板材である、請求項１〜５のいずれかに記載の育児器具用幌骨。
【請求項７】
前記連結具は、前記帯状部材の一端および他端を受け入れる受入穴を有している、請求項１〜６のいずれかに記載の育児器具用幌骨。
【請求項８】
逆Ｕ字形状の複数の幌骨と、前記複数の幌骨の下端部を回動可能に連結し、育児器具に取り付けられる支持部材と、前記複数の幌骨間に張り渡される幌布とを備えた育児器具用の幌であって、
一端と他端とを有する第一帯状部材と、
前記第一帯状部材の他端に近接する一端と前記第一帯状部材と離れる他端とを有する第二帯状部材と、
前記第一帯状部材の他端と前記第二帯状部材の一端とを連結する連結具とを備える、育児器具用幌骨を備えた幌。
【発明の詳細な説明】
【技術分野】
【０００１】
この発明は、乳母車等の育児器具に関し、特に育児器具における乳幼児を受け入れる空間の上方を覆う幌に関するものである。
【背景技術】
【０００２】
従来より、乳幼児を屋外に連れ出す場合に使用する乳母車などの育児器具には、必要に応じて乳幼児への日差しを遮ることができる幌が装着されている。一般に、このような幌は、逆Ｕ字状に湾曲し、両端が互いに枢着された複数の幌骨間に幌布を張ったものが知られている。
【０００３】
この幌の一例として、実開平０１−０７０６７６号公報（特許文献１）に乳母車の幌が開示されている。乳母車の幌は、乳母車本体に装着して用いられ、逆Ｕ字状に屈曲された複数の幌骨と、幌骨間に張り渡された幌布とを備える。そして、複数の逆Ｕ字状の幌骨をそれぞれ互いに枢着してドーム形状の幌を構成する。
【０００４】
このような逆Ｕ字状の幌骨の製造方法として、例えば、逆Ｕ字形状のキャビティを有する金型を用いた合成樹脂の射出成形による製造方法や、直線状の一本の幌骨を折り曲げて逆Ｕ字形状とする製造方法が挙げられる。
【先行技術文献】
【特許文献】
【０００５】
【特許文献１】実開平０１−０７０６７６号公報
【発明の概要】
【発明が解決しようとする課題】
【０００６】
逆Ｕ字状のキャビティを有する金型を用いた合成樹脂の射出成形による幌骨の製造方法では、金型が大型化し、金型作成のコストが高くなっていた。
【０００７】
他方、直線状の一本の幌骨を折り曲げて逆Ｕ字形状とする製造方法では、一本の幌骨をＵ字状に湾曲させる必要があるため、柔軟性がなくて剛性の高い素材を使用しづらく、柔軟性のある可撓性の合成樹脂または金属材料を使用する必要があった。これにより、幌骨自体の強度が弱く、幌骨全体として少し横に湾曲し左右に張り出す形状となるため、幌の見栄えがあまりよくなかった。また、左右に湾曲した幌骨を幌布で抑制して幌の形状を整えていたため、幌布に幌骨の負荷がかかっていた。
【０００８】
本発明は、上記のような課題を解決するためになされたものであって、その目的は、低コストで、幌の美観を損ねない育児器具用幌およびそれを備えた幌を提供することを目的とする。
【課題を解決するための手段】
【０００９】
この目的のため本発明による育児器具用幌骨は、育児器具に装着して用いられるものであり、一端と他端とを有する第一帯状部材と、第一帯状部材の他端に近接する一端と第一帯状部材と離れる他端とを有する第二帯状部材と、第一帯状部材の他端と第二帯状部材の一端とを連結する連結具とを備える。
【００１０】
さらに、第一帯状部材と第二帯状部材は、それぞれ直線状に延びる部材であり、連結具は、第一帯状部材と第二帯状部材とを屈曲した角度関係で連結する。
【００１１】
さらに好ましくは、第一帯状部材は、幌の側部において上下方向に延在して延び、第二帯状部材は、幌の側部から幅方向中央部に向かって延びる。
【００１２】
さらに、第一帯状部材は、側部において上下方向に延在して延び、第二帯状部材は、連結具から幌の前方方向に向かって延びる。
【００１３】
他の実施形態として、第一帯状部材は、左側部に位置する左側第一帯状部材と右側部に位置する右側第一帯状部材を含み、第二帯状部材は、連結具から幅方向中央部に向かって斜め上方に延びる左側部に位置する左側第二帯状部材と右側部に位置する右側第二帯状部材を含み、第三帯状部材は、幌骨の幅方向中央部に位置し、連結具を介して左側第二帯状部材と右側第二帯状部材とを接続する。
【００１４】
好ましくは、帯状部材は、厚みが小さい扁平な板材である。さらに好ましくは、連結具は、帯状部材の一端および他端を受け入れる受入穴を有している。
【００１５】
この発明に係る育児器具用幌骨を備えた幌は、逆Ｕ字形状の複数の幌骨と、複数の幌骨の下端部を回動可能に連結し、育児器具に取り付けられる支持部材と、複数の幌骨間に張り渡される幌布とを備えたものであり、一端と他端とを有する第一帯状部材と、第一帯状部材の他端に近接する一端と第一帯状部材と離れる他端とを有する第二帯状部材と、第一帯状部材の他端と第二帯状部材の一端とを連結する連結具とを備える。
【発明の効果】
【００１６】
本発明によれば、従来の幌骨よりも強度があり、幌の美観を損ねない育児器具用幌骨およびそれを備えた幌を提供することができる。
【図面の簡単な説明】
【００１７】
【図１】本発明の第一の実施形態に係る幌を備える乳母車を模式的に示す側面図である。
【図２】同実施例の幌骨を取り出して示す正面図である。
【図３】（ａ）は、帯状部材と連結具の嵌合状態を示す側面図であり、（ｂ）は、その縦断面図である。
【図４】本発明の他の実施形態に係る帯状部材と連結具の嵌合状態を示す斜視図である。
【図５】本発明の他の実施形態に係る帯状部材と連結具の嵌合状態を示す斜視図である。
【図６】本発明の他の実施形態に係る帯状部材と連結具の嵌合状態を示す斜視図である。
【図７】本発明の他の実施形態に係る帯状部材と連結具の嵌合状態を示す斜視図である。
【図８】本発明の他の実施形態に係る帯状部材と連結具の嵌合状態を示す斜視図である。
【図９】本発明の他の実施形態に係る幌の側面図である。
【発明を実施するための形態】
【００１８】
本発明の実施の形態について図面を参照しながら詳細に説明する。なお、図中同一または相当部分には同一符号を付してその説明は繰り返さない。
【００１９】
図１は、本発明の第一の実施形態に係る幌を備える乳母車を模式的に示す側面図である。図２は、同実施例の幌骨を取り出して示す正面図である。この発明が適用されるべき育児器具としては、乳母車、ベビーラック、ベビーベッド、育児椅子、チャイルドシート等があるが、以下の説明では、乳母車を例示的に説明する。
【００２０】
図１に示す一般的な乳母車１００は、乳母車本体２とドーム状の幌１とを備える。乳母車本体２は、乳幼児が座る座席の背もたれ部をリクライニングさせて、乳母車の座席をベッド状にすることができる。幌１は、乳母車１００に座った乳幼児の上方を覆うドーム型の立体形状である。図１は、乳母車本体２をベッド状にし、幌１を開いてドーム状にした状態である。
【００２１】
まず、図１を参照して、幌１について説明する。
【００２２】
幌１は、逆Ｕ字形状の複数の幌骨１０と、この幌骨１０上を張り渡される幌布３０と、幌１を乳母車本体２に連結するための支持部材３１とを備える。例えば、支持部材３１は、複数の幌骨１０の下端部をラチェット機構により回転可能に連結している。幌骨１０は、扇の骨のように開いたり閉じたりすることが可能であり、最も開いた状態では、図１に示すように、幌布３０が緩みなく張られドーム形状となる。このような状態では、乳幼児の上方を完全に覆うことができるので、日差しを遮ることができる。さらに、突然の雨等に遭遇したときも、幌１によって、雨が乳幼児に降りかかることを防止することができる。一方、幌骨１０同士を接近した状態にすると、幌布３０が縮むため、乳幼児の上方を開放することができる。
【００２３】
次に、図２を参照して、本発明の実施の形態に係る幌骨１０について説明する。この説明の中で、右側および左側とは、乳母車１００の進行方向前方を見て、右手側に位置するものを右側、左手側に位置するものを左側と定義し、進行方向を前方方向とすることとする。
【００２４】
幌骨１０は、複数の帯状部材１１と、それらを連結する複数の連結具２０とを備え、逆Ｕ字状に湾曲している。複数の帯状部材１１は、例えば、厚みが小さい扁平な板材であり、直線状に延びる部材である。帯状部材１１として、右側第一帯状部材１２、左側第一帯状部材１３、右側第二帯状部材１４、左側第二帯状部材１５及び第三帯状部材１６を用いる。
【００２５】
右側第一帯状部材１２は、幌骨１０の右側において上下方向に延在して延び、支持部材３１に支持される一端１２ａと、後述する連結具２０ａに嵌合される他端１２ｂを有する。左側第一帯状部材１３は、幌骨１０の左側において上下方向に延在して延び、図示しない支持部材に支持される一端１３ａと、連結具２０ｂに嵌合する他端１３ｂを有する。
【００２６】
右側第二帯状部材１４は、幌骨１０の右側から幅方向中央部に向かって延び、連結具２０ａに嵌合する一端１４ａと、連結具２０ｃに嵌合する他端１４ｂを有する。左側第二帯状部材１５は、幌骨１０の左側から幅方向中央部に向かって延び、連結具２０ｂに嵌合する一端１５ａと、連結具２０ｄに嵌合する他端１５ｂを有する。そして、右側、左側第二帯状部材１４，１５は、右側、左側第第一帯状部材１２，１３よりも短く形成される。
【００２７】
第三帯状部材１６は、第二帯状部材１４，１５の上方で幌骨１０の中央領域に配置され、第二帯状部材１４，１５の間隔よりも短い長さで形成される。そして、第三帯状部材１６の両端はそれぞれ連結具２０ｃ，２０ｄに嵌合される。
【００２８】
本実施形態の幌骨１０を構成する帯状部材１１は、上述したように様々な長さで形成されるが、すべて厚みの小さい扁平な板材で形成され、直線状とすることが可能である。したがって、帯状部材１１の形状を共通化することができ、幌骨１０のコスト削減が可能である。さらに、従来のように乳母車ごとに幌骨１０の金型を都度作成する必要はなく、金型作成のコストがかからない。
【００２９】
図３（ａ）は、帯状部材と連結具の嵌合状態を示す側面図であり、図３（ｂ）は、帯状部材と連結具の嵌合状態を示す断面図である。図３（ａ）および図３（ｂ）に示すように、左側第一帯状部材１３と左側第二帯状部材１５を用いて、連結具２０ａの説明をするが、連結具２０ｂ〜２０ｄも同様である。
【００３０】
連結具２０ｂは、図３（ａ）に示すように幌骨１０の内側に屈曲した形状であり、側面に一対の受入穴２１ａ，２１ｂを有する。この受入穴２１ａ，２１ｂは、左側第一帯状部材１３の他端１３ｂを受け入れる穴であり、受入穴２１ｂは左側第二帯状部材１５の一端１５ａを受け入れる穴である。そして、受入穴２１ａ，２１ｂの内側面には、それぞれ突起部２２が形成されている。
【００３１】
受入穴２１ａに左側第一帯状部材１３の他端１３ｂを挿入すると、突起部２２が他端１３ｂに形成された溝部１７に嵌合する。受入穴２１ｂに左側第二帯状部材１５の他端１５ｂを挿入すると、突起部２２が他端１５ｂに形成された溝部１７に嵌合する。これにより、左側第一、第二帯状部材１３，１５を連結具２０ｂで繋げることができる。さらに、受入穴２１ａ，２１ｂと左側第一、第二左側帯状部材１３，１５の大きさが同一であるため、これらを強固に嵌合することができ、左側第一帯状部材１３と左側第二帯状部材１５とが連結具２０から離れることはない。
【００３２】
さらに、連結具２０は屈曲した形状をしているため、帯状部材１１を屈曲した角度関係で連結することができ、図２に示すようなＵ字形状の幌骨１０とすることができる。具体的には、連結具２０ａは、右側第一帯状部材１２の他端１２ｂと右側第二帯状部材１４の一端１４ａを連結するものであり、連結具２０ｂは、左側第一帯状部材１３の他端１３ｂと左側第二帯状部材１５の一端１５ａを連結するものであり、これらは左右対称である。そして、連結具２０ｃは、右側第二帯状部材１４の他端１４ｂと第三帯状部材１６の端部を連結するものであり、連結具２０ｄは、左側第二帯状部材１５の他端１５ｂと第三帯状部材１６の他端を連結するものであり、これらも左右対称に接続される。  
【００３３】
従来は、一本の幌骨をＵ字状に折り曲げるために、柔軟性のある合成樹脂や金属材料を用いていた。しかし、本実施形態では、様々な長さの帯状部材１１と連結具２０との組み合わせにより幌骨１０の形状を作成するため、剛性のある合成樹脂や金属材料を用いて帯状部材１１を製造することができる。これにより、幌骨１０自体に強度を持たせることが可能である。また、幌骨１０自体に強度を持たせることで、運搬時に幌骨１０が変形することを防ぐことができる。
【００３４】
また、従来の幌骨１０はＵ字状といいながらも、一本の幌骨１０をＵ字状に折り曲げて使用していたため、少し横に湾曲し左右に張り出す形状となり、あまり見栄えがよくなかった。しかし、帯状部材１１と連結具２０からなる幌骨１０は、剛性のある材料からなり、直線の帯状部材１１の組み合わせで形成されるため、横に湾曲せず美観がよい。さらに、幌骨１０が少し横に湾曲する状態を幌布３０により抑制していたが、そのような必要もない。
【００３５】
図４〜８は、本発明の他の実施形態に係る帯状部材と連結具の嵌合状態を示す斜視図である。
【００３６】
図４の他の実施例によれば、帯状部材１１は、断面視略下すぼみの台形形状の板状部材であり、直線状に延びる部材である。そして、連結具２０は、帯状部材１１の形状に合った断面視略下すぼみの台形形状の受入穴２１を有し、上方から帯状部材１１を受入穴２１に重ね合わせることで嵌合するものである。
【００３７】
図５の他の実施例によれば、帯状部材１１は、断面視略上すぼみの台形形状の板状部材であり、直線状に延びる部材である。そして、連結具２０は、帯状部材１１の形状に合った断面視略上すぼみの台形形状の受入穴２１を有し、連結具２０を受入穴２１にスライドさせて挿入することで嵌合するものである。
【００３８】
図６の他の実施例によれば、帯状部材１１は、上下にフランジを有する断面視略エの字型の部材の板状部材であり、直線状に延びる形状である。連結具２０は、帯状部材１１の形状に合った両側面に凸部２３，２３を有する受入穴２１を有する。連結具２０を受入穴２１にスライドさせて挿入することで嵌合するものである。
【００３９】
図７の他の実施例によれば、帯状部材１１は、板状であり直線状に延びる部材である。そして、連結具２０は、帯状部材１１の形状に合った矩形形状の受入穴２１を有し、これも帯状部材１１を連結具２０にスライドさせて挿入することにより嵌合するものである。
【００４０】
図８の他の実施例は、帯状部材１１は、断面形状が丸みを帯びた板材であり、直線状に延びる部材である。そして、連結具２０は、帯状部材１１の形状にあった略矩形形状の受入穴２１を有し、これも帯状部材１１を連結具２０にスライドさせて挿入することにより嵌合するものである。
【００４１】
このように、連結具２０や帯状部材１１の様々な形状を示したが、これらに限られず、帯状部材と連結することができる連結具であれば、他の形状であってもどのような組み合わせであっても構わない。
【００４２】
図９は、本発明の他の実施形態に係る幌の側面図である。図９を参照して、幌骨１０は、図示しない複数の帯状部材とそれらを連結する連結具とを備える。帯状部材１０は、上述した実施形態と同様、一対の右側、左側第一帯状部材１２，１３と、一対の右側、左側第二帯状部材１４，１５と、第三帯状部材１６とからなる。図９に示すように、図示しない右側、左側第二帯状部材を前方方向に向かって延びるようにすることで、幌骨１０が前方に突き出るためひさしのような形状となり、通常の幌１よりも日差しを遮る形状とすることが可能である。
【００４３】
このように、様々な長さの帯状部材１１と連結具２０の取り付け方法を工夫することで様々な幌１の形状を作成することができ、従来の逆Ｕ字状の幌よりも幌の形状の多様化が可能となる。
【００４４】
なお、本発明の実施形態において、帯状部材として第一帯状部材、第二帯状部材及び第三帯状部材を用いたが、これに限られず、２本以上の帯状部材と１つ以上の連結具からなる幌骨であれば一つの幌骨に何本の帯状部材を用いても構わない。さらに第一帯状部材が第二帯状部材より短く形成したが、これに限られず、帯状部材の長さは幌の形状により形成すればよい。
【００４５】
また、帯状部材として、扁平な板材を用いたが、これに限られず、円筒状や円柱状などの棒状部材を用いてもよい。
【００４６】
さらに、上記実施形態においてドーム型の幌の形状を示したが、これに限られず、複数の帯状部材と一つ以上の連結具からなる幌骨を有する幌であれば形状を特に問わない。
【００４７】
さらに、上記実施形態において、帯状部材と連結具との連結は、連結具の突起部を帯状部材の溝部に嵌合することにより行ったが、これに限られず、接着剤を用いたりネジなどを用いたりしても構わない。
【００４８】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【００４９】
この発明に係る育児器具の幌骨およびそれを備えた幌、乳母車、自動車用子供座席、育児椅子、子供ベッド、ベビーベッドなどの育児器具において有利に利用される。
【符号の説明】
【００５０】
１  幌、２  乳母車本体、１０  幌骨、１１  帯状部材、１２  右側第一帯状部材、１２ａ  一端、１２ｂ  他端、１３  左側第一帯状部材、１３ａ  一端、１３ｂ  他端、１４  右側第二帯状部材、１４ａ  一端、１４ｂ  他端、１５  左側第二帯状部材、１５ａ  一端、１５ｂ  他端、１６  第三帯状部材、１７  溝部、２０，２０ａ，２０ｂ  連結具、２１  受入穴、２２  突起部、３０  幌布、３１  支持部材、１００  乳母車。
【図１】
2015205665.tif 000003
【図２】
2015205665.tif 000004
【図３】
2015205665.tif 000005
【図４】
2015205665.tif 000006
【図５】
2015205665.tif 000007
【図６】
2015205665.tif 000008
【図７】
2015205665.tif 000009
【図８】
2015205665.tif 000010
【図９】
2015205665.tif 000011